(57)【要約】【課題】プロセススピードの遅いモードに設定しているときに、紙に印字する画像の定着性を優先しない印字モードを指定すると、プロセススピードの速いモードに戻すことにより１枚目の印字を速くできる画像形成装置を提供することを目的としている。【解決手段】プロセススピードの遅いモードに設定しているときに、紙に印字する画像の定着性を優先しない印字モードを指定すると、プロセススピードの速いモードに戻す。【選択図】　　　　図１
2004126331.tif 000002
【特許請求の範囲】
【請求項１】
複数のプロセススピードで印字するモードと、トナーの定着性を優先しない印字モードを持つ画像形成装置において、遅いプロセススピードのモードが指定されていたときにトナーの定着性を優先しない印字モードを指定すると現状のプロセススピードより速いプロセススピードに切り換えて印字することを特徴とする画像形成装置。
【請求項２】
複数のプロセススピードで印字するモードと、トナーの定着性を優先しない印字モードを持つ画像形成装置において、遅いプロセススピードのモードが指定されていたときにトナーの定着性を優先しない印字モードを指定すると一番速いプロセススピードに切り換えて印字することを特徴とする画像形成装置。
【発明の詳細な説明】
【０００１】
【発明の属する技術分野】
本発明は多段階のプロセススピードを備えた画像形成装置に関するものである。
【０００２】
【従来の技術】
従来、画像形成装置はホストコンピュータから印字指令を受け取ると、定着部の加熱を開始する。そして、定着部の温度があらかじめ設定した温度に達するとカセットから給紙をおこなう。給紙した紙は感光ドラムで形成したトナー像を転写され、定着部に達する。紙が定着部に達するときには想定する全ての環境温度、紙の種類で十分トナーを定着できる温度に達している。
【０００３】
そして、そのトナー像は定着部の熱と圧力により紙に定着する。
【０００４】
この画像形成装置は紙の種類によってプロセススピードを変えている。例えば、厚い紙では通常のプロセススピードより遅くしている。これは、厚い紙ほど定着部で加えられる熱が紙に逃げて、トナーに熱が加わりにくくなる。すると、トナーは紙に定着されにくくなる。そこで、プロセススピードを遅くして、トナーにも熱が加わるようにする。
【０００５】
また、画像形成装置はすぐに印字内容を確認したいときに、紙に印字する画像の定着性を優先しない印字モードを指定して１枚目の印字を通常より速くしている。この印字モードは給紙を開始する定着器の温度を通常より低く設定することで、通常より早いタイミングで給紙を行なっている。
【０００６】
このプロセススピードの切り替えと画像の定着性を優先しない印字モードの指定は後述するコントローラ部からのコマンドによりエンジン部がプロセススピードを切り換える。
【０００７】
【発明が解決しようとする課題】
しかしながら、上記の従来例では、
プロセススピードの遅いモードに設定しているときに、紙に印字する画像の定着性を優先しない印字モードを指定すると、プロセススピードの遅いままで印字を行った。
【０００８】
従って、紙に印字する画像の定着性を優先しない印字モードを指定しても、印字は遅かった。
【０００９】
本発明は上記のような問題点に着目してなされたもので、
プロセススピードの遅いモードに設定しているとき、紙に印字する画像の定着性を優先しない印字モードを指定すると、プロセススピードの速いモードに戻すことにより１枚目の印字を速くできる画像形成装置を供給することを目的としている。
【００１０】
【課題を解決するための手段】
上記目的を達成するために、本発明は、
プロセススピードの遅いモードに設定しているとき、紙に印字する画像の定着性を優先しない印字モードを指定すると、プロセススピードの速いモードに戻すことを特徴とする。
【００１１】
上記構成において、１枚目の印字速度を速くできる。
【００１２】
【発明の実施の形態】
（第１の実施例）
図１は、この種の画像形成装置の一例を示す断面構成図であり、例えばレーザビームプリンタの場合を示す。
【００１３】
図１において、１００はコントローラ部で、図示しないホストコンピュータから入力されたコードデータである電気信号をビデオコントローラ部１０３で、ドットイメージに展開し、ビデオコントローラ内部のメモリに格納した後、エンジン部１０２にビデオ信号として返送する。エンジン部１０２の各要素は、エンジンコントローラ１０５により制御され、コントローラ部１００とのビデオ信号のやり取りもエンジンコントローラ１０５を介して行われる。エンジンコントローラ１０５のビデオインタフェース部（図示しない）に入力されたビデオ信号は、レーザードライバ１０６に送出され、ここで半導体レーザ１０７のＯＮ／ＯＦＦが制御される。この半導体レーザ１０７から出射されたレーザ光１１０はポリゴンミラー１０８により偏向されて感光ドラム１１２の長手方向の走査光となり、ミラー１０９を介して感光ドラム１１２上に投影される。
【００１４】
感光ドラム１１２は、矢印方向に回転し、一次帯電器１１１により一時帯電された後、レーザ光のＯＮ／ＯＦＦに応じた露光を受け、感光ドラム表面に静電潜像が形成される。そして、現像器１１３により着色荷電粒子（以後、トナーと称する）が付与され、顕像が得られる。記録媒体１２３は給紙カセット１２０から給紙ローラ１２１により取り出され、搬送ローラ１３４ａ，ｂで搬送される。記録媒体１２３はレジストシャッター１３１、記録媒体の先端検知１３５を通って感光ドラムに到達する。記録媒体１２３は搬送路に突き出ているレジストシャッター１３１によって一旦搬送が停止される。
【００１５】
この場合、搬送ローラ１３４ａ，ｂはその搬送停止状態の記録媒体１２３に対してスリップしながら搬送トルクを発生して回転を続ける。そして、記録媒体１２３の先端全体をレジストシャッター１３１に突き当てて記録媒体１２３の斜行を補正する。所定時間後、レジストシャッターは図示しないレジストソレノイドによって引き上げられて記録媒体１２３は搬送を再開する。感光ドラム上の静電潜像の先端が静電潜像を書き込み位置から転写ローラの位置まで回ってくる時間と記録媒体が記録媒体の先端検知から転写ローラに到着する時間が一致する位置に記録媒体の先端検知を設置する。
【００１６】
それにより、感光ドラム上の静電潜像と記録媒体の同期がとれる。
【００１７】
そして、記録媒体１２３は感光ドラムと転写ローラ間に到達すると上記顕像が移しとられる。転写残りトナーは、感光ドラム１１２の表面よりクリーニング器１１５により払い拭われ、感光ドラム１１２は次の画像形成工程に備える。
一方、未定着トナー像が載った記録媒体は、定着器１１６に挿通され、永久定着像が得られた後、最終プリントとして記録媒体は図中矢印方向に従って機外に排出される。
【００１８】
なお、図中の矢印は、給紙カセット１２０から取り出されて搬送される記録媒体の給送軌跡を示す。定着器１１６は中空の定着ローラ１１７にヒータ（定着ヒータ）１１９を有しておりヒータ１１９に通電することで定着ローラ１１７が過熱され、定着ローラ１１７の表面温度を検知するセンサ（図示しない）の出力が温度コントローラ（図示しない）に入力され、ヒータ１１９がＯＮ／ＯＦＦされて、所定の表面温度が維持される。加圧ローラ１１８は付勢手段（図示しない）により定着ローラ１１７に押圧され、記録媒体に載った状態の未定着トナーは定着ローラ１１７と加圧ローラ１１８のなすニップ内で記録媒体とともに加熱、加圧され永久定着される。そして、記録媒体１２３はＬＳの方向に排出される。
プロセススピードの切り換えと画像の定着性を優先しない印字モードの指定は図示しないホストコンピュータから指示を受けたコントローラ部１００がエンジンコントローラ１０５にコマンドを送る。
【００１９】
コマンドを受け取ったエンジンコントローラ１０５はプロセススピードを切り換える。
【００２０】
図２を用いて全体の流れを説明する。図示しないホストコンピュータから画像の定着性を優先しない印字モード（試し印字）を指定する（Ｓ０）。
【００２１】
現在、プロセススピードを落としたモードがすでに指定されているときは、より速いプロセススピードのモードか一番速いプロセススピードのモードに変更して印字を開始する（Ｓ１，Ｓ２，Ｓ３）。
【００２２】
一番速いプロセススピードのモードが指定されているときは、そのままのモードで印字を行なう（Ｓ１、Ｓ３）。
【００２３】
以上のように、プロセススピードの遅いモードに設定しているとき、紙に印字する画像の定着性を優先しない印字モードを指定すると、プロセススピードの速いモードに戻すことにより１枚目の印字を速くできる。
【００２４】
【発明の効果】
以上説明したように、本発明によれば、プロセススピードの遅いモードに設定しているとき、紙に印字する画像の定着性を優先しない印字モードを指定すると、プロセススピードの速いモードに戻すことにより１枚目の印字を速くできる。
【図面の簡単な説明】
【図１】本発明第１の実施例の構成を示す断面図
【図２】本発明第１の実施例のフローチャート
【符号の説明】
１２３‥‥記録媒体
１３４‥‥搬送ローラ対
１０５‥‥エンジンコントローラ
【図１】
2004126331.tif 000003
【図２】
2004126331.tif 000004